(57)【要約】【課題】  生活習慣改善のためのアドバイスを受けている患者に対して適切なフォローアップを行うことが可能なアドバイスフォローアップシステムを提供する。【解決手段】  生活習慣改善のためのアドバイスを受けている患者に対してフォローアップを行うシステムであって、時刻と関連付けられた患者の生活習慣に関する生活習慣データの入力を受け付けるデータ入力部６０１と、複数の生活習慣データの平均値及び経時変化の傾向を算出する計算部６０２とを有する端末６０９と、平均値と経時変化の傾向とに基づき、新たなアドバイスを生成するアドバイス生成部６０５を有するサーバ６１０とから構成される。【選択図】        図１
2007034744.tif 000002
【特許請求の範囲】
【請求項１】
生活習慣改善のためのアドバイスを受けている患者に対してフォローアップを行うシステムであって、
時刻と関連付けられた前記患者の生活習慣に関する生活習慣データの入力を受け付ける入力手段と、
複数の前記生活習慣データの平均値及び経時変化の傾向を算出する計算手段と、
前記平均値と前記経時変化の傾向とに基づき、新たなアドバイスに関するアドバイスデータを生成するアドバイス生成手段とを備える
アドバイスフォローアップシステム。
【請求項２】
前記計算手段は、所定期間の生活習慣データの変化の傾きを前記生活習慣データの経時変化の傾向として算出する
請求項１記載のアドバイスフォローアップシステム。
【請求項３】
前記計算手段は、長さの異なる第１の期間及び第２の期間の生活習慣データの平均値及び経時変化の傾向を算出し、
前記アドバイス生成手段は、前記第１の期間及び第２の期間の生活習慣データの平均値及び経時変化の傾向に基づきアドバイスデータを生成する
請求項１又は２記載のアドバイスフォローアップシステム。
【請求項４】
前記第１の期間は、前記第２の期間の複数倍の期間である
請求項３に記載のアドバイスフォローアップシステム。
【請求項５】
前記第１の期間及び第２の期間のうちの短い方の期間は、前記平均値と前記経時変化の傾向との算出に用いられる生活習慣データに関連付けられた時刻のうち最も遅い時刻までの期間である
請求項３又は４に記載のアドバイスフォローアップシステム。
【請求項６】
前記平均値及び前記経時変化の傾向と対応付けられた複数種類のアドバイスを含むアドバイステーブルを記憶するアドバイステーブル記憶手段をさらに備え、
前記アドバイス生成手段は、前記平均値と前記経時変化の傾向とに基づき、前記アドバイステーブルを参照して新たなアドバイスに関するアドバイスデータを生成する
請求項１〜５のいずれか１項に記載のアドバイスフォローアップシステム。
【請求項７】
前記生活習慣データの目標値を入力する目標入力手段をさらに備え、
前記アドバイス生成手段は、前記目標値と前記平均値とを比較し、前記比較の結果と前記経時変化の傾向とに基づき、前記アドバイステーブルを参照して新たなアドバイスに関するアドバイスデータを生成する
請求項６に記載のアドバイスフォローアップシステム。
【請求項８】
前記アドバイスフォローアップシステムは、ネットワークを介して接続された端末とサーバとから構成され、
前記端末は、前記入力手段及び計算手段を有し、
前記サーバは、前記アドバイス生成手段を有し、
前記端末は、さらに、
前記計算手段により算出される平均値及び経時変化の傾向に関する計算結果データを前記サーバに送信する計算結果送信手段と、
前記サーバから送信されるアドバイスデータを受信するアドバイス受信手段と、
前記アドバイスデータを出力する出力手段とを有し、
前記サーバは、さらに、
前記端末から送信される計算結果データを受信する計算結果受信手段と、
前記アドバイス生成手段により生成されるアドバイスデータを前記端末に送信するアドバイス送信手段とを有する
請求項１〜５のいずれか１項に記載のアドバイスフォローアップシステム。
【請求項９】
前記アドバイスフォローアップシステムは、端末とサーバとから構成され、
前記端末は、前記入力手段及び計算手段を有し、
前記サーバは、前記アドバイス生成手段を有し、
前記端末は、さらに、
前記計算手段により算出される平均値及び経時変化の傾向に関する計算結果データを記憶する計算結果記憶手段を有し、
前記サーバは、さらに、
前記計算手段により生成される計算結果データの入力を前記計算結果記憶手段より受け付ける計算結果入力手段と、
前記アドバイス生成手段により生成されるアドバイスデータを出力する出力手段とを有する
請求項１〜５のいずれか１項に記載のアドバイスフォローアップシステム。
【請求項１０】
前記サーバは、前記平均値及び前記経時変化の傾向と対応付けられた複数種類のアドバイスを含むアドバイステーブルを記憶するアドバイステーブル記憶手段をさらに備え、
前記アドバイス生成手段は、前記平均値と前記経時変化の傾向とに基づき、前記アドバイステーブルを参照して新たなアドバイスに関するアドバイスデータを生成する
請求項８又は９に記載のアドバイスフォローアップシステム。
【請求項１１】
前記サーバは、前記生活習慣データの目標値を入力する目標入力手段をさらに備え、
前記アドバイス生成手段は、前記目標値と前記平均値とを比較し、前記比較の結果と前記経時変化の傾向とに基づき、前記アドバイステーブルを参照して新たなアドバイスに関するアドバイスデータを生成する
請求項１０に記載のアドバイスフォローアップシステム。
【請求項１２】
生活習慣改善のためのアドバイスを受けている患者の、時刻と関連付けられた生活習慣に関する複数の生活習慣データの平均値及び経時変化の傾向に関する計算結果データの入力を受け付ける入力手段と、
前記計算結果データに基づき、新たなアドバイスに関するアドバイスデータを生成するアドバイス生成手段と、
前記アドバイスデータを出力する出力手段とを備える
サーバ。
【請求項１３】
前記入力手段は、ネットワークを介して接続された端末から前記計算結果データを受信し、
前記出力手段は、前記端末に前記アドバイスデータを送信する
請求項１２に記載のサーバ。
【請求項１４】
生活習慣改善のためのアドバイスを受けている患者に対してフォローアップを行う方法であって、
時刻と関連付けられた前記患者の生活習慣に関する複数の生活習慣データの平均値及び経時変化の傾向を算出する計算ステップと、
前記平均値と前記経時変化の傾向とに基づき、新たなアドバイスに関するアドバイスデータを生成するアドバイス生成ステップとを含む
アドバイスフォローアップ方法。
【請求項１５】
生活習慣改善のためのアドバイスを受けている患者に対してフォローアップを行うアドバイスフォローアップシステムのためのプログラムであって、
時刻と関連付けられた前記患者の生活習慣に関する複数の生活習慣データの平均値及び経時変化の傾向を算出する計算ステップと、
前記平均値と前記経時変化の傾向とに基づき、新たなアドバイスに関するアドバイスデータを生成するアドバイス生成ステップとをアドバイスフォローアップシステム内のコンピュータに実行させるためのプログラム。
【発明の詳細な説明】
【技術分野】
【０００１】
本発明は、生活習慣病等により医師より食事療法等の生活習慣改善のためのアドバイスを受けている患者に対して、尿から排出される電解質量等の生活習慣を反映するデータに基づき、上記アドバイスの実行を支援するためのフォローアップを行うアドバイスフォローアップシステム及びアドバイスフォローアップ方法に関するものである。
【背景技術】
【０００２】
近年、生活習慣が主な原因である高血圧、高脂血症、糖尿病、及び肥満が生活習慣病として大きく注目されている。これらの病気に対しては、一般に行われている薬物等を用いた内科的な治療と異なり、生活習慣そのもの（栄養、休養、運動）の改善を行なう事が治療の中心となる。また、治療は従来病院で行われるものが多いなか、生活習慣病の治療は家庭での治療が中心となる。
【０００３】
ところで、例えば、栄養の分野では、１日当たりの電解質の摂取量は１０グラム以下と推奨されているが、管理栄養士等が指導している制限食をとっている患者でもない限り、在宅で電解質の摂取量を正確に把握することは難しい。これは、食事内容を日誌につける等するだけでは電解質の摂取量を正確に把握することができず、電解質の摂取量を正確に把握するためには調味料や食材に含まれている電解質も含めて記録することが必要となることに起因する。このとき、電解質の摂取量を正確に把握することが可能である場合でも、上記のような電解質に関するアドバイスを医師より指示されてからそれを継続的に行うことができる患者は少ないために、アドバイスを受けている患者に対するフォローアップが大切となる。
【０００４】
上記患者に対するフォローアップを行う従来のアドバイスフォローアップ装置としては、例えば、特許文献１に記載のものがある。これは、医師より指示された健康行動に関するアドバイスに対する個人の意識を評価し、その評価結果を個人にフィードバックすることで、アドバイスを受けている患者に対するフォローアップを行っている。
【０００５】
図１１は、特許文献１に記載された従来のアドバイスフォローアップ装置の処理を示すフローチャートである。
【０００６】
このアドバイスフォローアップ装置においては、最初に、患者の健康状態を把握した後（ステップＳ１０１）、その把握された健康状態を元に医師や栄養士等がアドバイスを患者に提供する（ステップＳ１０２）。次に、患者がアドバイスを受けてから一定期間経過した後（ステップＳ１０３）、患者の健康行動に対する意識を評価する（ステップＳ１０４）。最後に、健康行動に対する意識を評価した結果を患者に示し、健康行動を実行するためのインセンティブを患者に与える（ステップＳ１０５）。
【特許文献１】特開２００４−３１３２６５号公報
【発明の開示】
【発明が解決しようとする課題】
【０００７】
しかしながら、前記従来のアドバイスフォローアップ装置の構成では、健康行動に対する意識を評価するために健康行動に対する患者の意識を取得する必要があり、この意識取得には、アンケートや問診等の方法が用いられる。よって、取得される意識は患者の主観的な判断に頼ることとなり、例えば意識取得に際して患者が医師に怒られないように、意識的に意識が高いように表現をする可能性がある。その結果、取得される意識がその人の価値判断基準に左右され、健康行動に対する患者の意識の正確な評価ができず、従来のアドバイスフォローアップ装置では、アドバイスを受けている患者に対して適切なフォローアップができないという課題がある。
【０００８】
そこで、本発明は、前記従来の課題を解決するもので、生活習慣改善のためのアドバイスを受けている患者に対して適切なフォローアップを行うことが可能なアドバイスフォローアップシステムを提供することを目的とする。
【課題を解決するための手段】
【０００９】
上記目的を達成するために、本発明のアドバイスフォローアップシステムは、生活習慣改善のためのアドバイスを受けている患者に対してフォローアップを行うシステムであって、時刻と関連付けられた前記患者の生活習慣に関する生活習慣データの入力を受け付ける入力手段と、複数の前記生活習慣データの平均値及び経時変化の傾向を算出する計算手段と、前記平均値と前記経時変化の傾向とに基づき、新たなアドバイスに関するアドバイスデータを生成するアドバイス生成手段とを備える。
【００１０】
また、本発明は、生活習慣改善のためのアドバイスを受けている患者の、時刻と関連付けられた生活習慣に関する複数の生活習慣データの平均値及び経時変化の傾向に関する計算結果データの入力を受け付ける入力手段と、前記計算結果データに基づき、新たなアドバイスに関するアドバイスデータを生成するアドバイス生成手段と、前記アドバイスデータを出力する出力手段とを備えるサーバとすることもできる。
【００１１】
さらに、本発明は、生活習慣改善のためのアドバイスを受けている患者に対してフォローアップを行う方法であって、時刻と関連付けられた前記患者の生活習慣に関する複数の生活習慣データの平均値及び経時変化の傾向を算出する計算ステップと、前記平均値と前記経時変化の傾向とに基づき、新たなアドバイスに関するアドバイスデータを生成するアドバイス生成ステップとを含むアドバイスフォローアップ方法とすることもできる。
【００１２】
また、生活習慣改善のためのアドバイスを受けている患者に対してフォローアップを行うアドバイスフォローアップシステムのためのプログラムであって、時刻と関連付けられた前記患者の生活習慣に関する複数の生活習慣データの平均値及び経時変化の傾向を算出する計算ステップと、前記平均値と前記経時変化の傾向とに基づき、新たなアドバイスに関するアドバイスデータを生成するアドバイス生成ステップとをアドバイスフォローアップシステム内のコンピュータに実行させるためのプログラムとすることもできる。
【発明の効果】
【００１３】
本発明のアドバイスフォローアップシステムによれば、一定期間の生活習慣データの平均値と経時変化の傾向とに基づいて生活習慣改善への取り組み具合と取り組み効果とを同時に評価し、新たなアドバイスを生成する。よって、生活習慣改善のためのアドバイスを受けている患者に対して適切なフォローアップを行うことが可能となり、生活習慣改善に対する患者のやる気やモチベーションを向上させることができる。
【発明を実施するための最良の形態】
【００１４】
本発明のアドバイスフォローアップシステムは、生活習慣改善のためのアドバイスを受けている患者に対してフォローアップを行うシステムであって、時刻と関連付けられた前記患者の生活習慣に関する生活習慣データの入力を受け付ける入力手段と、複数の前記生活習慣データの平均値及び経時変化の傾向を算出する計算手段と、前記平均値と前記経時変化の傾向とに基づき、新たなアドバイスに関するアドバイスデータを生成するアドバイス生成手段とを備える。ここで、前記計算手段は、所定期間の生活習慣データの変化の傾きを前記生活習慣データの経時変化の傾向として算出してもよい。
【００１５】
これによって、一定期間の生活習慣データの平均値と、その経時変化の傾向とに基づいて、生活習慣改善に対する患者の意識を評価し、新たなアドバイスが生成されるので、生活習慣改善に対する意識の評価が患者の価値判断基準に左右されることが無くなる。よって、生活習慣改善に対する意識を正確に評価することができるので、生活習慣改善のためのアドバイスを受けている患者に対して適切なフォローアップを行うことが可能となる。その結果、患者の生活習慣改善に対するモチベーションの維持に好影響を与え、アドバイス実行を患者に継続的に行わせることが可能となる。
【００１６】
また、前記計算手段は、長さの異なる第１の期間及び第２の期間の生活習慣データの平均値及び経時変化の傾向を算出し、前記アドバイス生成手段は、前記第１の期間及び第２の期間の生活習慣データの平均値及び経時変化の傾向に基づきアドバイスデータを生成してもよい。また、前記第１の期間は、前記第２の期間の複数倍の期間であってもよいし、前記第１の期間及び第２の期間のうちの短い方の期間は、前記平均値と前記経時変化の傾向との算出に用いられる生活習慣データに関連付けられた時刻のうち最も遅い時刻までの期間であってもよい。
【００１７】
これによって、生活習慣改善のためのアドバイスを受けている患者の短期的な生活習慣改善の取り組みと、長期的な生活習慣改善の取り組みとの両方を考慮し、アドバイスの内容を変化させるので、生活習慣改善のためのアドバイスを受けている患者に対して更に適切なフォローアップを行うことが可能となる。
【００１８】
また、前記アドバイスフォローアップシステムは、前記平均値及び前記経時変化の傾向と対応付けられた複数種類のアドバイスを含むアドバイステーブルを記憶するアドバイステーブル記憶手段をさらに備え、前記アドバイス生成手段は、前記平均値と前記経時変化の傾向とに基づき、前記アドバイステーブルを参照して新たなアドバイスに関するアドバイスデータを生成してもよい。
【００１９】
また、前記アドバイスフォローアップシステムは、前記生活習慣データの目標値を入力する目標入力手段をさらに備え、前記アドバイス生成手段は、前記目標値と前記平均値とを比較し、前記比較の結果と前記経時変化の傾向とに基づき、前記アドバイステーブルを参照して新たなアドバイスに関するアドバイスデータを生成してもよい。
【００２０】
さらに、前記アドバイスフォローアップシステムは、ネットワークを介して接続された端末とサーバとから構成され、前記端末は、前記入力手段及び計算手段を有し、前記サーバは、前記アドバイス生成手段を有し、前記端末は、さらに、前記計算手段により算出される平均値及び経時変化の傾向に関する計算結果データを前記サーバに送信する計算結果送信手段と、前記サーバから送信されるアドバイスデータを受信するアドバイス受信手段と、前記アドバイスデータを出力する出力手段とを有し、前記サーバは、さらに、前記端末から送信される計算結果データを受信する計算結果受信手段と、前記アドバイス生成手段により生成されるアドバイスデータを前記端末に送信するアドバイス送信手段とを有してもよい。また、前記アドバイスフォローアップシステムは、端末とサーバとから構成され、前記端末は、前記入力手段及び計算手段を有し、前記サーバは、前記アドバイス生成手段を有し、前記端末は、さらに、前記計算手段により算出される平均値及び経時変化の傾向に関する計算結果データを記憶する計算結果記憶手段を有し、前記サーバは、さらに、前記計算手段により生成される計算結果データの入力を前記計算結果記憶手段より受け付ける計算結果入力手段と、前記アドバイス生成手段により生成されるアドバイスデータを出力する出力手段とを有してもよい。
【００２１】
ここで、前記サーバは、前記平均値及び前記経時変化の傾向と対応付けられた複数種類のアドバイスを含むアドバイステーブルを記憶するアドバイステーブル記憶手段をさらに備え、前記アドバイス生成手段は、前記平均値と前記経時変化の傾向とに基づき、前記アドバイステーブルを参照して新たなアドバイスに関するアドバイスデータを生成してもよい。
【００２２】
また、前記サーバは、前記生活習慣データの目標値を入力する目標入力手段をさらに備え、前記アドバイス生成手段は、前記目標値と前記平均値とを比較し、前記比較の結果と前記経時変化の傾向とに基づき、前記アドバイステーブルを参照して新たなアドバイスに関するアドバイスデータを生成してもよい。
【００２３】
また、本発明は、生活習慣改善のためのアドバイスを受けている患者の、時刻と関連付けられた生活習慣に関する複数の生活習慣データの平均値及び経時変化の傾向に関する計算結果データの入力を受け付ける入力手段と、前記計算結果データに基づき、新たなアドバイスに関するアドバイスデータを生成するアドバイス生成手段と、前記アドバイスデータを出力する出力手段とを備えるサーバとすることもできる。ここで、前記入力手段は、ネットワークを介して接続された端末から前記計算結果データを受信し、前記出力手段は、前記端末に前記アドバイスデータを送信してもよい。
【００２４】
これによって、生活習慣改善のためのアドバイスを受けている患者に対して適切なフォローアップを行うことが可能なサーバを実現することができる。
【００２５】
さらに、本発明は、生活習慣改善のためのアドバイスを受けている患者に対してフォローアップを行う方法であって、時刻と関連付けられた前記患者の生活習慣に関する複数の生活習慣データの平均値及び経時変化の傾向を算出する計算ステップと、前記平均値と前記経時変化の傾向とに基づき、新たなアドバイスに関するアドバイスデータを生成するアドバイス生成ステップとを含むアドバイスフォローアップ方法とすることもできる。
【００２６】
また、生活習慣改善のためのアドバイスを受けている患者に対してフォローアップを行うアドバイスフォローアップシステムのためのプログラムであって、時刻と関連付けられた前記患者の生活習慣に関する複数の生活習慣データの平均値及び経時変化の傾向を算出する計算ステップと、前記平均値と前記経時変化の傾向とに基づき、新たなアドバイスに関するアドバイスデータを生成するアドバイス生成ステップとをアドバイスフォローアップシステム内のコンピュータに実行させるためのプログラムとすることもできる。
【００２７】
これによって、生活習慣改善のためのアドバイスを受けている患者に対して適切なフォローアップを行うことが可能なアドバイスフォローアップ方法を実現することができる。
【００２８】
以下、本発明の実施の形態におけるアドバイスフォローアップシステムについて、図面を参照しながら説明する。
【００２９】
（実施の形態１）
図１は、本発明の実施の形態１におけるアドバイスフォローアップシステムの構成図である。
【００３０】
このアドバイスフォローアップシステムは、生活習慣改善のためのアドバイスを受けている患者に対してフォローアップを行うシステムであって、患者の自宅に設置される端末６０９と、ネットワークを介して端末６０９と接続され、病院等の医療機関に設置されるサーバ６１０とから構成されている。なお、サーバ６１０は、医師の入力の手間が簡易に行えるので、医療機関に設置されている事が望ましいが、この限りではない。
【００３１】
端末６０９は、生活習慣改善のためのアドバイスを受けている患者のデータの入力を受け付け、患者に対して新たなアドバイスを提示する装置であって、データ入力部６０１、計算部６０２、計算結果送信部６０３、アドバイス受信部６０７及び表示部６０８から構成される。なお、データ入力部６０１、計算部６０２、計算結果送信部６０３、アドバイス受信部６０７及び表示部６０８は、それぞれ本発明の入力手段、計算手段、計算結果送信手段、アドバイス受信手段及び出力手段の一例である。
【００３２】
データ入力部６０１は、パーソナルコンピュータ（以下、ＰＣと略称する）のキーボード等により構成され、時刻と関連付けられた時系列の患者の日常の生活習慣に関する複数の生活習慣データ、例えば、日々の歩数計の歩数、日々の食事の量あるいは日々の尿中塩分量等を記録した生活習慣データの入力を受け付ける。患者はデータ入力部６０１を利用して、毎日、生活習慣データを入力する。例えば、図２に示されるような、日々の尿中塩分量を示すデータ列８００が生活習慣データとして入力される。
【００３３】
計算部６０２は、データ入力部６０１から入力される複数の生活習慣データをもとに例えば１ヶ月という一定期間の生活習慣データの平均値を計算し、さらにその経時変化の傾向として傾きを最小自乗法により計算する。
【００３４】
計算結果送信部６０３は、計算部６０２により算出される一定期間の生活習慣データの平均値及び傾き（計算結果）に関する計算結果データをサーバ６１０に送信する。
【００３５】
アドバイス受信部６０７は、サーバ６１０から新たなアドバイスに関するアドバイスデータを受け取り、表示部６０８にそのデータを渡す。
【００３６】
表示部６０８は、ＬＣＤ（Liquid Crystal Display）等により構成され、アドバイスデータの内容を表示し、患者に提示する。
【００３７】
サーバ６１０は、新たなアドバイスを生成する装置であって、計算結果受信部６０４、アドバイス生成部６０５、アドバイス送信部６０６、目標入力部６１１及び記憶部６１２から構成される。なお、計算結果受信部６０４、アドバイス生成部６０５、アドバイス送信部６０６、目標入力部６１１及び記憶部６１２は、それぞれ本発明の計算結果受信手段（入力手段）、アドバイス生成手段、アドバイス送信手段（出力手段）、目標入力手段及びアドバイステーブル記憶手段の一例である。
【００３８】
計算結果受信部６０４は、端末６０９から計算結果データを受け取り、アドバイス生成部６０５にそのデータを渡す。
【００３９】
目標入力部６１１は、ＰＣのキーボード等により構成され、生活習慣改善の実行に対する評価に用いられる、目標値に関する目標値データの入力を受け付ける。
【００４０】
記憶部６１２は、ハードディスクやメモリ等により構成され、計算結果と対応付けられた複数種類のアドバイスの集まりであるアドバイステーブル６１２ａと、目標入力部６１１から入力される目標値データとを保持する。なお、アドバイステーブル６１２ａの詳細については後述する。
【００４１】
アドバイス生成部６０５は、計算部６０２により算出される計算結果を元に、患者が取り組んでいる生活習慣改善に対するメンタル面的な意気込みや実際の行動結果を勘案して生活習慣改善の実行に対する評価を行い、新たなアドバイスを生成する。具体的には、アドバイス生成部６０５は、記憶部６１２の目標値データを考慮に入れて、記憶部６１２のアドバイステーブル６１２ａから適切なアドバイスを検索する。
【００４２】
アドバイス送信部６０６は、アドバイス生成部６０５により生成されるアドバイスデータを受け取り、端末６０９に送信する。
【００４３】
図３は、アドバイステーブル６１２ａの一例を示す。
【００４４】
アドバイステーブル６１２ａは、傾き、平均及びアドバイスを示す情報からなる。ここで、「傾き」は一定期間の生活習慣データの傾きであり、「平均」は一定期間の生活習慣データの平均値と目標値データとの比較結果であり、「アドバイス」は、「傾き」及び「平均」に対応付けられたアドバイスである。
【００４５】
次に、上記構成を有するアドバイスフォローアップシステムの動作（新たなアドバイス生成の動作）について説明する。図４は、アドバイスフォローアップシステムの動作を示すフローチャートである。
【００４６】
まず、端末６０９は、データ入力部６０１を用いて、生活習慣データ、例えば日々の尿中塩分量を記録した生活習慣データの入力を受け付ける（ステップＳ５０１）。
【００４７】
次に、端末６０９は、計算部６０２を用いて、例えば１ヶ月という一定期間の生活習慣データの平均値を計算し（ステップＳ５０２）、さらにその傾きを最小自乗法により計算し（ステップＳ５０３）、計算結果データを生成する。その後、端末６０９は、計算結果送信部６０３を用いて、計算結果データをサーバ６１０に送信する。
【００４８】
次に、サーバ６１０は、計算結果受信部６０４を用いて、端末６０９から計算結果データを受け取る。
【００４９】
最後に、サーバ６１０は、アドバイス生成部６０５を用いて、新たなアドバイスを生成する。具体的には、記憶部６１２の目標値データが示す目標値と、計算結果データが示す一定期間の生活習慣データの平均値とを比較して、平均値が目標値よりも高い、目標値よりも低い、及び目標値と同じのいずれに該当するのかを決定する（ステップＳ５０４）。その後、計算結果データが示す一定期間の生活習慣データの傾きが正、負及びゼロのいずれに該当するのかを決定する（ステップＳ５０５ａ、Ｓ５０５ｂ、Ｓ５０５ｃ）。そして、比較結果及び傾きに対応したアドバイスをアドバイステーブル６１２ａより検索する。
【００５０】
例えば、図５（ａ）〜（ｉ）に示すような生活習慣データが得られた場合には、アドバイス生成部６０５は、以下のようなアドバイスを生成する。このとき、図５（ａ）〜（ｉ）は、生活習慣病患者の尿中塩分排出量の一定期間における値の変動をカテゴライズしたものであり、横軸は時間（日付）を示し、縦軸は尿中から排出される塩分を表す尿塩分量を示している。図５（ａ）〜（ｉ）において、点線は尿塩分量の目標値を示し、一点鎖線は患者の尿中塩分排出量の期間平均値を示し、実線は患者の尿塩分推移を示している。なお、一般の人では１日１０ｇ、高血圧等の患者では１日６ｇがそれぞれ目標値とされること等がガイドラインにより決められており、期間平均値をその目標値以下にする事を目指して医師よりアドバイスが提供される。
【００５１】
すなわち、尿中塩分排出量の期間平均値が目標値よりも高く（目標未達成）、期間内において患者の取り組んだ減塩効果が上昇傾向で尿塩分推移の傾きが正（増加）の場合には（図５（ａ））、つまり図４の（ａ）の場合には、図３のアドバイステーブル６１２ａに従い、「尿からの排泄される塩分量が上昇気味で、その平均値も目標値より高い状況です。→このままの生活習慣を続けると非常に危険です。ぜひ通院し医師と相談してください。」というアドバイスを選択して、患者に危険を告知し、医師からの指導を仰ぐように促す。
【００５２】
また、尿中塩分排出量の期間平均値が目標値よりも高く（目標未達成）、期間内において患者の取り組んだ減塩効果が維持傾向で尿塩分推移の傾きがゼロ（並行）の場合には（図５（ｂ））、つまり図４の（ｂ）の場合には、図３のアドバイステーブル６１２ａに従い、「尿からの排泄される塩分量の変化はあまりありませんが、その平均値は目標値より高い状況です。→このままの生活習慣を続けると危険です。医師からのアドバイスを実践するように努力して下さい。」というアドバイスを選択して、患者に危険を告知し、医師からのアドバイスを実行するように促す。
【００５３】
また、尿中塩分排出量の期間平均値が目標値よりも高く（目標未達成）、期間内において患者の取り組んだ減塩効果が減少傾向で尿塩分推移の傾きが負（減少）の場合には（図５（ｃ））、つまり図４の（ｃ）の場合には、図３のアドバイステーブル６１２ａに従い、「尿からの排泄される塩分量が下降気味ですが、その平均値は目標値より高い状況です。→努力されているようですね。まだ値としては、高い状態なので、この調子を崩さないように頑張って下さい。」というアドバイスを選択して、患者にアドバイスを実行するインセンティブを与える。
【００５４】
また、尿中塩分排出量の期間平均値が目標値と同じであり（目標値並）、期間内において患者の取り組んだ減塩効果が上昇傾向で尿塩分推移の傾きが正（増加）の場合には（図５（ｄ））、つまり図４の（ｄ）の場合には、図３のアドバイステーブル６１２ａに従い、「尿からの排泄される塩分量が上昇気味ですが、その平均値は目標値程度です。→初期は良かったのに時間と共に生活習慣が悪くなっているようです。初心を忘れず、努力を続けてください。」というアドバイスを選択する。
【００５５】
また、尿中塩分排出量の期間平均値が目標値と同じであり（目標値並）、期間内において患者の取り組んだ減塩効果が維持傾向で尿塩分推移の傾きがゼロ（並行）の場合には（図５（ｅ））、つまり図４の（ｅ）の場合には、図３のアドバイステーブル６１２ａに従い、「尿からの排泄される塩分量の変化はあまりありませんし、その平均値は目標値程度です。→とりあえず、及第点という所です。さらなる努力を積んで下さい。」というアドバイスを選択する。
【００５６】
また、尿中塩分排出量の期間平均値が目標値と同じであり（目標値並）、期間内において患者の取り組んだ減塩効果が減少傾向で尿塩分推移の傾きが負（減少）の場合には（図５（ｆ））、つまり図４の（ｆ）の場合には、図３のアドバイステーブル６１２ａに従い、「尿からの排泄される塩分量が下降気味ですが、その平均値は目標値程度です。→努力されているようですね。この調子を崩さないように頑張って下さい。」というアドバイスを選択する。
【００５７】
また、平均値が目標値よりも低く（目標達成）、期間内において患者の取り組んだ減塩効果が上昇傾向で尿塩分推移の傾きが正（増加）の場合には（図５（ｇ））、つまり図４の（ｇ）の場合には、図３のアドバイステーブル６１２ａに従い、「尿からの排泄される塩分量が上昇気味ですが、その平均値は目標値より低い状況です。→初期は良かったのに時間と共に生活習慣が少しずつ悪くなっているようです。まだ余裕があると思わずに、努力を続けてください。」というアドバイスを選択する。
【００５８】
また、尿中塩分排出量の期間平均値が目標値よりも低く（目標達成）、期間内において患者の取り組んだ減塩効果が維持傾向で尿塩分推移の傾きがゼロ（並行）の場合には（図５（ｈ））、つまり図４の（ｈ）の場合には、図３のアドバイステーブル６１２ａに従い、「尿からの排泄される塩分量の変化はあまりありませんし、その平均値は目標値より低い状況です。→目標値はクリアされています。さらなる継続・努力を積んで下さい。」というアドバイスを選択する。
【００５９】
また、尿中塩分排出量の期間平均値が目標値よりも低く（目標達成）、期間内において患者の取り組んだ減塩効果が減少傾向で尿塩分推移の傾きが負（減少）の場合には（図５（ｉ））、つまり図４の（ｉ）の場合には、図３のアドバイステーブル６１２ａに従い、「尿からの排泄される塩分量が下降気味で、その平均値は目標値より低い状況です。→非常に努力されているようですね。良い傾向です。この調子を崩さないように頑張って下さい。」というアドバイスを選択する。
【００６０】
以上のように本実施の形態のアドバイスフォローアップシステムによれば、一定期間の生活習慣データの平均値と傾きとに基づいて、生活習慣改善に対する患者の意識を評価し、新たなアドバイスを生成する。よって、生活習慣改善に対する意識の評価が患者の価値判断基準に左右されることが無くなり、生活習慣改善に対する意識を正確に評価することができるので、生活習慣改善のためのアドバイスを受けている患者に対して適切なフォローアップを行うことが可能となる。その結果、患者の生活習慣改善に対するモチベーションの維持に好影響を与え、アドバイス実行を患者に継続的に行わせることが可能となる。
【００６１】
（実施の形態２）
図６は、本発明の実施の形態２におけるアドバイスフォローアップシステムの構成図である。
【００６２】
このアドバイスフォローアップシステムは、患者の自宅に設置される端末１１１３と、ネットワークを介して端末１１１３と接続され、病院等に設置されるサーバ１１１４とから構成されている。なお、サーバ１１１４は、医師の入力の手間が簡易に行えるので、医療機関に設置されている事が望ましいが、この限りではない。
【００６３】
端末１１１３は、生活習慣改善のためのアドバイスを受けている患者のデータの入力を受け付け、患者に対して新たなアドバイスを提示する装置であって、データ入力部１１０１、計算部１１０３、記憶部１１０４、計算結果送信部１１０５、アドバイス受信部１１１１及び表示部１１１２から構成される。なお、データ入力部１１０１、計算部１１０３、計算結果送信部１１０５、アドバイス受信部１１１１及び表示部１１１２は、それぞれ本発明の入力手段、計算手段、計算結果送信手段、アドバイス受信手段及び出力手段の一例である。
【００６４】
データ入力部１１０１は、ＰＣ等のキーボード等により構成され、時刻と関連付けられた時系列の日常の生活習慣に関する生活習慣データ、例えば、日々の歩数計の歩数、日々の食事の量あるいは日々の尿中塩分量等を記録した生活習慣データの入力を受け付ける。患者はデータ入力部１１０１を利用して、毎日、生活習慣データを入力する。
【００６５】
記憶部１１０４は、ハードディスクやメモリ等により構成され、データ入力部１１０１から入力される例えば３ヶ月分の生活習慣データを保持する。
【００６６】
計算部１１０３は、記憶部１１０４の生活習慣データをもとに一定期間の生活習慣データの平均値を計算し、さらにその経時変化の傾向として傾きを最小自乗法により計算する。このとき、計算部１１０３は、長さの異なる第１の期間及び第２の期間の生活習慣データの平均値及び傾きを計算する。すなわち、平均値及び傾きの算出に用いられる生活習慣データに関連付けられた時刻のうち最も遅い時刻までの期間、つまり最近の期間、例えば１ヶ月という期間を第２の期間として生活習慣データの平均値及び傾きを計算し、第２の期間の複数倍の期間、例えば３倍の期間である３ヶ月という期間を第１の期間として生活習慣データの平均値及び傾きを計算する。
【００６７】
計算結果送信部１１０５は、計算部１１０３により算出される第１の期間及び第２の期間の生活習慣データの平均値及び傾き（計算結果）に関する計算結果データをサーバ１１１４に送信する。
【００６８】
アドバイス受信部１１１１は、サーバ１１１４から新たなアドバイスに関するアドバイスデータを受け取り、表示部１１１２にそのデータを渡す。
【００６９】
表示部１１１２は、ＬＣＤ等により構成され、アドバイスデータの内容を表示し、患者に提示する。
【００７０】
サーバ１１１４は、新たなアドバイスを生成する装置であって、計算結果受信部１１０６、アドバイス生成部１１０７、アドバイス送信部１１１０、目標入力部１１０８及び記憶部１１０９から構成される。なお、計算結果受信部１１０６、アドバイス生成部１１０７、アドバイス送信部１１１０、目標入力部１１０８及び記憶部１１０９は、それぞれ本発明の計算結果受信手段（入力手段）、アドバイス生成手段、アドバイス送信手段（出力手段）、目標入力手段及びアドバイステーブル記憶手段の一例である。
【００７１】
計算結果受信部１１０６は、端末１１１３から計算結果データを受け取り、アドバイス生成部１１０７にそのデータを渡す。
【００７２】
目標入力部１１０８は、ＰＣのキーボード等により構成され、生活習慣改善の実行に対する評価に用いられる、目標値に関する目標値データの入力を受け付ける。
【００７３】
記憶部１１０９は、ハードディスクやメモリ等により構成され、計算結果と対応付けられた複数種類のアドバイスの集まりである２つのアドバイステーブル６１２ａ、１１０９ａと、目標入力部１１０８から入力される目標値データとを保持する。アドバイステーブル６１２ａは、実施の形態１で用いた図３に示すアドバイステーブルと同じである。なお、アドバイステーブル１１０９ａの詳細については後述する。
【００７４】
アドバイス生成部１１０７は、計算部１１０３により算出される計算結果を元に、患者が取り組んでいる生活習慣改善に対するメンタル面的な意気込みや実際の行動結果を勘案して生活習慣改善の実行に対する評価を行い、新たなアドバイスを生成する。具体的には、アドバイス生成部１１０７は、記憶部１１０９の目標値データを考慮に入れて、記憶部１１０９のアドバイステーブル１１０９ａ及びアドバイステーブル６１２ａから適切なアドバイスを検索する。
【００７５】
アドバイス送信部１１１０は、アドバイス生成部１１０７により生成されるアドバイスデータを受け取り、端末１１１３に送信する。
【００７６】
図７は、アドバイステーブル１１０９ａの一例を示す。
【００７７】
アドバイステーブル１１０９ａは、傾き、平均及びアドバイスを示す情報からなる。ここで、「傾き」は第１の期間の生活習慣データの傾きであり、「平均」は第１の期間の生活習慣データの平均値と目標値データとの比較結果であり、「長期の傾き＜短期の傾き」は、第２の期間の生活習慣データの傾きが第１の期間のものよりも大きいかどうかを示すものであり、「アドバイス」は、「傾き」、「平均」及び「長期の傾き＜短期の傾き」に対応付けられたアドバイスである。
【００７８】
次に、上記構成を有するアドバイスフォローアップシステムの動作（新たなアドバイス生成の動作）について説明する。図８は、アドバイスフォローアップシステムの動作を示すフローチャートである。
【００７９】
まず、端末１１１３は、データ入力部１１０１を用いて、生活習慣データ、例えば日々の尿中塩分量を記録した生活習慣データの入力を受け付ける（ステップＳ７０１）。その後、端末１１１３は、記憶部１１０４を用いて、入力される生活習慣データを記憶する（ステップＳ７０２）。
【００８０】
次に、第１の期間の生活習慣データが記憶部１１０４に記憶された場合（ステップＳ７０３のＹｅｓ）には、端末１１１３は、計算部１１０３を用いて、第１の期間及び第２の期間の生活習慣データの平均値及び傾きを計算し、計算結果データを生成する（ステップＳ７０４）。その後、端末１１１３は、計算結果送信部１１０５を用いて、計算結果データをサーバ１１１４に送信する。
【００８１】
次に、サーバ１１１４は、計算結果受信部１１０６を用いて、端末１１１３から計算結果データを受け取る。
【００８２】
最後に、サーバ１１１４は、アドバイス生成部１１０７を用いて、適切なアドバイスを生成する。具体的には、計算結果データが示す第１の期間の生活習慣データの傾きが負であった場合には（ステップＳ７０５のＹｅｓ）、記憶部１１０９の目標値データが示す目標値と、計算結果データが示す第１の期間の生活習慣データの平均値とを比較する。その後、第１の期間の生活習慣データの平均値が目標値よりも大きい場合には（ステップＳ７０６のＹｅｓ）、第１の期間の生活習慣データの傾きと第２の期間の生活習慣データの傾きとを比較する。そして、第２の期間の生活習慣データの傾きが第１の期間の生活習慣データの傾きよりも大きいか否かのいずれに該当するのかを決定し（ステップＳ７０７）、それに対応したアドバイスを選択する。
【００８３】
例えば、図９（ａ）、図９（ｂ）に示すような生活習慣データが得られた場合には、アドバイス生成部１１０７は、以下のようなアドバイスを選択する。このとき、図９（ａ）、図９（ｂ）は、生活習慣病患者の尿中塩分排出量の一定期間における値の変動をカテゴライズしたものであり、横軸は時間（日付）を示し、縦軸は尿中から排出される塩分を表す尿塩分量を示している。図９（ａ）、図９（ｂ）において、点線は尿塩分量の目標値を示し、一点鎖線は患者の尿中塩分排出量の期間平均値を示し、実線は患者の尿塩分推移を示している。なお、一般の人では１日１０ｇ、高血圧等の患者では１日６ｇがそれぞれ目標値とされること等がガイドラインにより決められており、期間平均値をその目標値以下にする事を目指して医師よりアドバイスが提供される。
【００８４】
すなわち、第１の期間の尿塩分推移８０１における尿塩分推移量の期間平均値８０１ａが目標値よりも高く（目標未達成）、第１の期間の尿塩分推移８０１の傾きが負（減少）であり、第１の期間の尿塩分推移８０１の傾きが第２の期間の尿塩分推移８０２の傾きよりも小さい場合には（図９（ａ））、つまり図８の（ａ）の場合には、近々の短期的な生活習慣改善の取り組み度合いは良好と考えられるが、平均値は目標値に比べて高いので、アドバイスの取り組みの継続を促すアドバイスを選択する。つまり、図７のアドバイステーブル１１０９ａに従い、「尿からの排泄される塩分量が下降気味ですが、その平均値は目標値より高い状況です。→短期的に特に努力されているようですね。まだ値としては、高い状態なので、この調子を崩さないように頑張って下さい。」というアドバイスを選択する。
【００８５】
また、第１の期間の尿塩分推移８０３における尿塩分推移量の期間平均値８０３ａが目標値よりも高く（目標未達成）、第１の期間の尿塩分推移８０３の傾きが負（減少）であり、第１の期間の尿塩分推移８０３の傾きが第２の期間の尿塩分推移８０４の傾きよりも大きい場合には（図９（ｂ））、つまり図８の（ｂ）の場合には、近々の短期的な生活習慣改善の取り組み度合いは長期的な取り組みに比べて限界に近くなっていると考えられる。しかしながら、平均値は目標値に比べて高いため、現状のアドバイスの取り組みではこれ以上の効果を期待する事ができないと判断できる。よって、図７のアドバイステーブル１１０９ａに従い、「尿からの排泄される塩分量が下降気味ですが、その平均値は目標値より高い状況です。→努力されているようですね。しかしながら、まだ値としては、高い状態です。取り組みも限界に近くなっているようです。一度アドバイスそのものの見直しを医師に相談してはどうでしょうか？」というアドバイスを選択する。
【００８６】
ここで、ステップＳ７０５において、計算結果データが示す第１の期間の生活習慣データの傾きが正またはゼロであった場合（ステップＳ７０５のＮｏ）や、ステップＳ７０６において、第１の期間の生活習慣データの平均値が目標値と同じか目標値よりも小さい場合（ステップＳ７０６のＮｏ）には、アドバイス生成部１１０７は、第２の期間の生活習慣データの平均値及び傾きに基づき、図４に示すフローチャートによりアドバイスを生成する。アドバイス生成の手順については実施の形態１と同様であるため説明を省略する。
【００８７】
以上のように本実施の形態のアドバイスフォローアップシステムによれば、生活習慣改善のためのアドバイスを受けている患者の短期的な生活習慣改善の取り組みと、長期的な生活習慣改善の取り組みとの両方を考慮し、アドバイスの内容を変化させるので、生活習慣改善のためのアドバイスを受けている患者に対して更に適切なフォローアップを行うことが可能となる。
【００８８】
すなわち、図９（ａ）に示す生活習慣データと図９（ｂ）に示す生活習慣データとを比較した場合、短期的な生活習慣改善の取り組みを見ると、尿塩分推移量の期間平均値８０２ａ、８０４ａは、共に目標値を上回っており、かつ、尿塩分推移８０２、８０４の傾きは共に負（減少）であり、推移は減少傾向にある。よって、短期的な生活習慣改善の取り組みを見ただけでは、アドバイスの内容は、「努力されているようですね。まだ値としては、高い状態なので、この調子を崩さないように頑張って下さい。」と全く同じ内容となる。しかしながら、長期的な生活習慣改善の取り組みを考慮することにより、図９（ａ）に示す生活習慣データと図９（ｂ）に示す生活習慣データとの場合で患者の生活習慣改善の取り組みが違うことがわかり、それぞれの場合に対応した適切なアドバイスを選択することができるのである。
【００８９】
以上、本発明のアドバイスフォローアップシステムについて、実施の形態に基づいて説明したが、本発明は、この実施の形態の限定されるものではない。本発明の要旨を逸脱しない範囲内で当業者が思いつく各種変形を施したものも本発明の範囲内に含まれる。
【００９０】
例えば、アドバイスフォローアップシステムにおいて、端末とサーバとはネットワークにより接続されているとしたが、これに限られない。例えば、アドバイスフォローアップシステムは、図１０に示されるような構成であってもよい。すなわち、アドバイスフォローアップシステムは、データ入力部６０１と、計算部６０２と、計算部６０２により生成される計算結果データを記憶する可搬式の記憶媒体であるメモリカード１００１とからなる端末１０００と、メモリカード１００１の計算結果データの入力を受け付ける計算結果入力部１０１１と、アドバイス生成部６０５と、アドバイスデータを受け取り、アドバイスデータの内容を出力する例えばプリンタであるアドバイス出力部１０１２と、目標入力部６１１と、記憶部６１２とからなるサーバ１０１０とから構成されてもよい。なお、メモリカード１００１、計算結果入力部１０１１及びアドバイス出力部１０１２は、それぞれ本発明の計算結果記憶手段、計算結果入力手段及び出力手段の一例である。
【００９１】
なお、計算結果記憶手段がメモリカードである例を示したが、これに限らず、計算結果記憶手段として他の記憶媒体を用いてもよい。
【００９２】
また、アドバイスフォローアップシステムにおいて、端末が計算部を備えるとしたが、サーバが計算部を備えても良い。
【産業上の利用可能性】
【００９３】
本発明は、生活習慣改善のための医師のアドバイスを受けている患者に対してフォローアップを行うアドバイスフォローアップシステムに利用でき、さらにダイエットやサプリメントを継続的に使用している患者に対してフォローアップを行うアドバイスフォローアップシステム等の用途にも応用できる。
【図面の簡単な説明】
【００９４】
【図１】本発明の実施の形態１におけるアドバイスフォローアップシステムの構成図である。
【図２】同アドバイスフォローアップシステムにおける端末に入力されるデータを示す図である。
【図３】同アドバイスフォローアップシステムにおけるサーバの記憶部に記憶されたアドバイステーブルを示す図である。
【図４】同アドバイスフォローアップシステムの動作を示すフローチャートである。
【図５】生活習慣病患者の尿中塩分排出量の一定期間における値の変動を示す図である。
【図６】本発明の実施の形態２におけるアドバイスフォローアップシステムの構成図である。
【図７】同アドバイスフォローアップシステムにおけるサーバの記憶部に記憶されたアドバイステーブルを示す図である。
【図８】同アドバイスフォローアップシステムの動作を示すフローチャートである。
【図９】生活習慣病患者の尿中塩分排出量の一定期間における値の変動を示す図である。
【図１０】本発明のアドバイスフォローアップシステムの変形例の構成図である。
【図１１】従来のアドバイスフォローアップ装置の処理を示すフローチャートである。
【符号の説明】
【００９５】
６０１、１１０１    データ入力部
６０２、１１０３    計算部
６０３、１１０５    計算結果送信部
６０４、１１０６    計算結果受信部
６０５、１１０７    アドバイス生成部
６０６、１１１０    アドバイス送信部
６０７、１１１１    アドバイス受信部
６０８、１１１２    表示部
６０９、１０００、１１１３    端末
６１０、１０１０、１１１４    サーバ
６１１、１１０８    目標入力部
６１２、１１０４、１１０９    記憶部
６１２ａ、１１０９ａ    アドバイステーブル
８００    データ列
８０１、８０２、８０３、８０４    尿塩分推移
８０１ａ、８０２ａ、８０３ａ、８０４ａ    期間平均値
１００１    メモリカード
１０１１    計算結果入力部
１０１２    アドバイス出力部
【図１】
2007034744.tif 000003
【図２】
2007034744.tif 000004
【図３】
2007034744.tif 000005
【図４】
2007034744.tif 000006
【図５】
2007034744.tif 000007
【図６】
2007034744.tif 000008
【図７】
2007034744.tif 000009
【図８】
2007034744.tif 000010
【図９】
2007034744.tif 000011
【図１０】
2007034744.tif 000012
【図１１】
2007034744.tif 000013